(57)【要約】【課題】    止水性能を十分に確保することができるサッシ窓を提供すること。【解決手段】外壁１の開口部５四周各辺のうちの下辺５Ｂと下支持枠２２の見込み片部２２１との間には、下辺５Ｂに沿った面状の防水部材（防水シート４４）が介装され、この防水部材の左右両端部は、上方に折り曲げられて開口部５の縦辺と縦支持枠の見込み片部との間に介装されている。つまり、窓正面から見てコ字形になった防水シート４４が窓枠体の下部に配置されているので、万一、外装材３と壁パネル２との間に雨水等が浸入したとしても、この雨水等を防水シート４４で受け止めて排水することができ、雨水等の室内側への浸入を防止して止水性能を向上させることができる。【選択図】  図４
2006083660.tif 000002
【特許請求の範囲】
【請求項１】
建物の外壁に設けた開口部内に配設された窓枠体と、この窓枠体の内側に支持されたパネル体とを備えたサッシ窓であって、
前記窓枠体は、上枠体、下枠体、および左右の縦枠体から構成され、これらの上枠体、下枠体、および縦枠体には、それぞれ前記外壁躯体の開口部四周各辺に沿って見込み方向室外側に延びる見込み片部が設けられ、
前記外壁は、外壁躯体と、この外壁躯体の室外面を覆う外壁仕上げ材とを備えて構成され、前記外壁仕上げ材における前記外壁躯体の開口部上辺および縦辺に対応した位置には、見込み方向室内側に延びて前記上枠体および縦枠体の見込み片部を覆う折曲部が形成され、
前記下枠体の見込み片部と前記外壁躯体の開口部下辺との間には、当該下辺に沿った面状の防水部材が介装され、この防水部材の左右両端部は、上方に折り曲げられて前記左右の縦枠体の見込み片部と前記開口部左右の縦辺との間に介装されているサッシ窓。
【請求項２】
前記防水部材は、前記外壁躯体の開口部の室外側端縁まで延びる見込み面部と、この見込み面部に連続して前記外壁躯体の室外側側面に沿って折れ曲がる折曲り面部とを有し、
前記見込み面部および折曲り面部が前記外壁躯体に密接され、前記見込み面部のうちの前記外壁躯体の開口部下辺に沿った部分の上面が前記下枠体で覆われ、前記折曲り面部の室外面が前記外壁仕上げ材で覆われている請求項１に記載のサッシ窓。
【請求項３】
前記防水部材は、伸縮可能な面材から形成された防水シートで構成されている請求項１または請求項２に記載のサッシ窓。
【請求項４】
前記上枠体および縦枠体のうちの少なくとも縦枠体において、前記見込み片部の見付け方向内面には、面状の第２防水部材が密接され、この第２防水部材は、前記外壁仕上げ材の折曲部で覆われ、当該第２防水部材の室外側端縁は、当該見込み片部の室外側端縁よりも室外側に位置されて前記外壁躯体の開口部に密接され、前記縦枠体の見込み片部に密接された第２防水部材の下端部は、前記上方に折り曲げられた防水部材の両端部に密接されている請求項１から請求項３のいずれかに記載のサッシ窓。
【請求項５】
前記第２防水部材は、面状に形成されて少なくとも片面が接着面とされた防水テープから構成され、前記見込み片部および前記外壁躯体の開口部に接着されている請求項４に記載のサッシ窓。
【請求項６】
前記窓枠体は、前記外壁躯体に固定される支持枠と、この支持枠に着脱自在に取り付けられるとともに前記パネル体を支持する本窓枠とを備えて構成されており、
前記支持枠は、上支持枠、下支持枠、および左右の縦支持枠を四周枠組みして構成され、これらの上支持枠、下支持枠、および縦支持枠に前記見込み片部が設けられ、
前記本窓枠は、上本窓枠、下本窓枠、および左右の縦本窓枠を四周枠組みして構成されるとともに、前記支持枠にシール材を介して取り付けられている請求項１から請求項５のいずれかに記載のサッシ窓。
【請求項７】
前記本窓枠は、見付け方向外側に突出した取付片部を四周に有した半外付け用サッシ枠であり、
前記支持枠における上支持枠、下支持枠、および左右の縦支持枠には、前記見込み片部の室内寄りの位置から見付け方向内側に突出した支持片部が設けられ、この支持片部に前記取付片部を係合することにより前記本窓枠が前記支持枠に取り付けられ、これらの支持片部と取付片部との間に前記シール材が介装されている請求項６に記載のサッシ窓。
【請求項８】
前記下支持枠は、前記外壁躯体の開口部下辺に固定される下支持枠本体と、この下支持枠本体に連結されて前記開口部から室外側に突出する水切り部材とを有して構成され、
前記開口部下辺に沿った前記防水部材の上面が前記水切り部材で覆われている請求項６または請求項７に記載のサッシ窓。
【発明の詳細な説明】
【技術分野】
【０００１】
本発明は、サッシ窓に関し、詳しくは、建物の外壁に設けた開口部内に配設された窓枠体と、この窓枠体の内側に支持されたパネル体とを備えたサッシ窓に関する。
【背景技術】
【０００２】
外壁の室外面よりも見込み方向室内寄りに配設されたサッシ窓（内付けサッシ）およびこの内付けサッシを有して構成された外壁の構造が知られている（例えば、特許文献１参照）。
特許文献１に記載された外壁においては、外壁開口部の室内側に沿って設けられた木製の開口枠と、この開口枠に水密材（シール材）を介して固定されたアルミ形材製のサッシ窓枠と、このサッシ窓枠に支持されたガラスパネルとで内付けのサッシ窓が構成され、開口部の上および左右の三方には、外壁の外装材と同一の板厚および材質を有して断面Ｌ字形に形成された窓縁用外装材が設けられている。そして、窓縁用外装材の見込み方向に沿った側片部が開口枠の室外縁まで延び、この側片部の先端部分と、開口枠またはサッシ窓枠との間に水密材（シール材）が介装されている。
【０００３】
【特許文献１】特許第３４７７４２１号公報（図１、２）
【発明の開示】
【発明が解決しようとする課題】
【０００４】
しかしながら、前記特許文献１に記載の外壁では、開口枠とサッシ窓枠との間、および窓縁用外装材の側片部先端と開口枠またはサッシ窓枠との間に水密材が設けられているものの、これらの水密材や外装材の目地が劣化して開口枠の位置まで雨水等が浸入した場合には、この雨水等が容易に室内側の内装材まで達してしまう。このように外部空間に露出した水密材や目地に依存した止水構造であるため、水密材や目地が劣化した場合には即座に止水性能が低下してしまうという問題がある。
【０００５】
本発明の目的は、止水性能を十分に確保することができるサッシ窓を提供することにある。
【課題を解決するための手段】
【０００６】
本発明のサッシ窓は、建物の外壁に設けた開口部内に配設された窓枠体と、この窓枠体の内側に支持されたパネル体とを備えたサッシ窓であって、前記窓枠体は、上枠体、下枠体、および左右の縦枠体から構成され、これらの上枠体、下枠体、および縦枠体には、それぞれ前記外壁躯体の開口部四周各辺に沿って見込み方向室外側に延びる見込み片部が設けられ、前記外壁は、外壁躯体と、この外壁躯体の室外面を覆う外壁仕上げ材とを備えて構成され、前記外壁仕上げ材における前記外壁躯体の開口部上辺および縦辺に対応した位置には、見込み方向室内側に延びて前記上枠体および縦枠体の見込み片部を覆う折曲部が形成され、前記下枠体の見込み片部と前記外壁躯体の開口部下辺との間には、当該下辺に沿った面状の防水部材が介装され、この防水部材の左右両端部は、上方に折り曲げられて前記左右の縦枠体の見込み片部と前記開口部左右の縦辺との間に介装されていることを特徴とする。
【０００７】
ここで、窓枠体の内側に支持されたパネル体としては、窓枠体に移動不能に支持されて嵌め殺し（Ｆｉｘ）窓を構成するガラスパネル等の面材であってもよく、また窓枠体に開閉可能に支持された１枚または複数枚の障子であってもよい。パネル体が障子である場合には、例えば、引き違い窓や片引き窓、開き窓、辷り出し窓、上げ下げ窓等、任意の開閉形式のサッシ窓が構成可能である。
また、防水部材としては、外壁の開口部下辺に沿った底面部と、この底面部の両端から開口部縦辺に沿って立ち上がる立上部とを有し、窓正面から見て略コ字形に形成されたものであればよく、その材質は特に限定されない。つまり、防水部材は、金属（ＳＵＳやアルミニウム合金等）製の板材から形成されていてもよく、また樹脂製や繊維製のシート材から形成されていてもよい。
【０００８】
このような本発明によれば、外壁の開口部四周各辺のうち、下辺および左右縦辺の下部と窓枠体の見込み片部との間に、窓正面から見てコ字形になった防水部材を配置したので、万一、開口部における外壁仕上げ材と外壁躯体との間に雨水等が浸入したとしても、この雨水等を防水部材で受け止めることができる。そして、上枠体および縦枠体における見込み片部が外壁仕上げ材の折曲部に覆われることで、折曲部の外側である室外空間から見込み片部の室外側端縁までの距離を長距離化することができる。これにより、浸入しようとする雨水等の勢いが抑えられ、下枠体位置まで流れ落ちた雨水等が防水部材で受け止められて室外側に排水されるので、従来のサッシ窓と比較して止水性能を向上させることができる。
また、窓枠体の見込み片部が外壁躯体の開口部四周各辺に沿って設けられ、この見込み片部の位置にて止水構造が構成できるので、外壁躯体の室外側側面に沿った固定片等を窓枠体に形成する必要がない。これにより、外壁開口部内の見込み方向に関して窓枠体の取付位置を任意に設定することができ、サッシ窓における設計の自由度を高めることができる。すなわち、開口部内の室内寄りに窓枠体を取り付ければ、内付けのサッシ窓を構成することができ、また開口部内の室外寄りに窓枠体を取り付ければ、サッシ窓の室内側の空間を出窓のように利用することもできるなど、共通の窓枠体を用いても、この窓枠体の見込み位置が任意に設定可能なサッシ窓を構成することができる。
【０００９】
この際、本発明のサッシ窓では、前記防水部材は、前記外壁躯体の開口部の室外側端縁まで延びる見込み面部と、この見込み面部に連続して前記外壁躯体の室外側側面に沿って折れ曲がる折曲り面部とを有し、前記見込み面部および折曲り面部が前記外壁躯体に密接され、前記見込み面部のうちの前記外壁躯体の開口部下辺に沿った部分の上面が前記下枠体で覆われ、前記折曲り面部の室外面が前記外壁仕上げ材で覆われていることが好ましい。
このような構成によれば、防水部材が室外側に延びて外壁躯体の室外側側面に密接されることで、防水部材で受け止めた雨水等を室外側に排水することができ、止水性能をさらに向上させることができる。また、防水部材を下枠体および外壁仕上げ材で覆ったことで、防水部材が室外空間に露出せず、その劣化が防止できるとともに、サッシ窓の外観を良好にすることができる。
【００１０】
さらに、本発明のサッシ窓では、前記防水部材は、伸縮可能な面材から形成された防水シートで構成されていることが好ましい。
このような構成によれば、伸縮可能な防水シートで防水部材を構成したことで、防水シートの両端部を開口部の縦辺に沿って折り曲げたり、外壁躯体の室外側側面に沿って折り曲げたりする作業が容易になり、施工性を良好にすることができる。また、防水部材を金属製とした場合には、開口部の見付け寸法や見込み寸法ごとに防水部材を製造する必要があり、製造コストや部品点数が増大してしまう。これに対して、防水シートの場合には、長尺なシートから適宜な長さに切断して施工することができるので、多種のサッシ窓に対してコスト増加を招くことなく、防水部材の施工ができる。
【００１１】
また、本発明のサッシ窓では、前記上枠体および縦枠体のうちの少なくとも縦枠体において、前記見込み片部の見付け方向内面には、面状の第２防水部材が密接され、この第２防水部材は、前記外壁仕上げ材の折曲部で覆われ、当該第２防水部材の室外側端縁は、当該見込み片部の室外側端縁よりも室外側に位置されて前記外壁躯体の開口部に密接され、前記縦枠体の見込み片部に密接された第２防水部材の下端部は、前記上方に折り曲げられた防水部材の両端部に密接されていることが好ましい。
このような構成によれば、上枠体や縦枠体の見込み片部および外壁躯体の開口部に第２防水部材を密接させたことで、見込み片部と外壁躯体とが水密に連結され、これらの間からの雨水等の浸入が防止され、より一層止水性能を向上させることができる。さらに、第２防水部材の下端部を防水部材の曲げ上げた両端部に密接させたことで、第２防水部材表面を流れ落ちた雨水等を確実に防水部材で受け止めることができる。また、第２防水部材が外壁仕上げ材の折曲部で覆われることで、第２防水部材が室外空間に露出せず、その劣化が防止できるとともに、サッシ窓の外観を良好にすることができる。
【００１２】
この際、本発明のサッシ窓では、前記第２防水部材は、面状に形成されて少なくとも片面が接着面とされた防水テープから構成され、前記見込み片部および前記外壁躯体の開口部に接着されていることが好ましい。
このような構成によれば、接着面を有した防水テープで第２防水部材を構成したことで、見込み片部および外壁躯体の開口部に貼り付けるだけの簡単な作業で第２防水部材を施工することができる。また、防水テープの両面に接着面を形成しておけば、この防水テープに外壁仕上げ材の下地材等を貼り付けることができ、施工性をさらに向上させることができる。
【００１３】
また、本発明のサッシ窓では、前記窓枠体は、前記外壁躯体に固定される支持枠と、この支持枠に着脱自在に取り付けられるとともに前記パネル体を支持する本窓枠とを備えて構成されており、前記支持枠は、上支持枠、下支持枠、および左右の縦支持枠を四周枠組みして構成され、これらの上支持枠、下支持枠、および縦支持枠に前記見込み片部が設けられ、前記本窓枠は、上本窓枠、下本窓枠、および左右の縦本窓枠を四周枠組みして構成されるとともに、前記支持枠にシール材を介して取り付けられていることが好ましい。
このような構成によれば、窓枠体を支持枠（捨て枠）および本窓枠から構成し、支持枠に対して着脱自在に本窓枠を取り付けるようにするとともに、支持枠に見込み片部を設けたので、支持枠を外壁に固定したままで外壁仕上げ材を壊すことなく本窓枠を交換することができ、改装サッシとして本発明のサッシ窓を構成することができる。また、支持枠と本窓枠とは、シール材を介して連結されるので、支持枠と本窓枠との間も確実に止水して止水性能を確保することができる。
【００１４】
この際、本発明のサッシ窓では、前記本窓枠は、見付け方向外側に突出した取付片部を四周に有した半外付け用サッシ枠であり、前記支持枠における上支持枠、下支持枠、および左右の縦支持枠には、前記見込み片部の室内寄りの位置から見付け方向内側に突出した支持片部が設けられ、この支持片部に前記取付片部を係合することにより前記本窓枠が前記支持枠に取り付けられ、これらの支持片部と取付片部との間に前記シール材が介装されていることが好ましい。
このような構成によれば、製品バリエーションや製品点数が非常に多くレギュラー製品である半外付け用サッシ枠を用いてサッシ窓を構成することで、多種多様なサイズや形式の窓を安価に構成することができる。そして、半外付け用サッシ枠において通常外壁に固定するために設けられた取付片部を、支持枠の支持片部に係合させて支持枠に本窓枠を取り付けることで、半外付け用サッシ枠に対する加工の必要がなく、コスト増加を招かずに半外付け用サッシ枠を転用することができる。
【００１５】
さらに、本発明のサッシ窓では、前記下支持枠は、前記外壁躯体の開口部下辺に固定される下支持枠本体と、この下支持枠本体に連結されて前記開口部から室外側に突出する水切り部材とを有して構成され、前記開口部下辺に沿った前記防水部材の上面が前記水切り部材で覆われていることが好ましい。
このような構成によれば、水切り部材を下支持枠本体と別体で形成し、下支持枠本体に連結して下支持枠を構成したので、外壁開口部内の見込み方向に関して支持枠の取付位置を変更した場合や、開口部の見込み寸法が異なる場合でも、見込み寸法の異なる水切り部材を選択するだけで変更に対応することができ、その場合でも下支持枠本体に関しては、共通の部材を用いることができる。
【発明を実施するための最良の形態】
【００１６】
以下、本発明の実施形態を図面に基づいて説明する。
図１は、本発明の第１実施形態に係るサッシ窓である縦辷り出し窓１０が設けられた建物の外壁１部分を示す縦断面図である。図２は、外壁１部分を示す横断面図である。図３、４は、それぞれ縦辷り出し窓１０の上枠部分、および下枠部分を拡大して示す縦断面図である。図５は、縦辷り出し窓１０の縦枠部分を拡大して示す横断面図である。
【００１７】
図１、２において、建物の外壁１は、外壁躯体としての壁パネル２と、この壁パネル２の室外面に設けられた外壁仕上げ材としての外装材３と、壁パネル２の室内面に設けられた内部仕上げ材としての石膏ボード等の内装材４とを有して構成されている。壁パネル２は、格子状等に組んだパネル芯材と２Ａと、このパネル芯材２Ａの室外側に固定されたパネル面材２Ｂとで形成されている。また、外装材３は、壁パネル２の室外面にモルタル３Ｄ（図３〜５）を所定厚さに吹きつけて形成されている。この外壁１には、矩形状の開口部５が設けられており、縦辷り出し窓１０は、開口部５内における外壁１の室外面１Ａよりも見込み方向室内寄りに設けられた、いわゆる内付けサッシ窓である。この縦辷り出し窓１０の室内側には、内装材４の開口端縁の室内側を覆う木製の額縁材（ケーシング）６が四周連続して取り付けられている。
【００１８】
縦辷り出し窓１０は、上枠体１１、下枠体１２、および左右の縦枠体１３からなる窓枠体１４と、この窓枠体１４の内側に開閉自在に支持されたパネル体としての障子１５とを有して構成されている。窓枠体１４は、壁パネル２に固定される支持枠（捨て枠）２０と、この支持枠２０に着脱自在に取り付けられた本窓枠３０とを有している。支持枠２０は、上支持枠２１、下支持枠２２、および左右の縦支持枠２３を四周枠組みして形成され、本窓枠３０は、上本窓枠３１、下本窓枠３２、および左右の縦本窓枠３３を四周枠組みして形成されている。そして、障子１５は、本窓枠３０の上本窓枠３１および下本窓枠３２に設けられたヒンジに支持されて室外方向に開閉可能になっている。また、障子１５は、四周框組した上框１６、下框１７、左右の縦框１８と、これら上下左右の框１６〜１８の内部に嵌め込んだガラスパネル（複層ガラス）１９とを有して形成され、上下左右の框１６〜１８が上本窓枠３１、下本窓枠３２、および左右の縦本窓枠３３に設けたＡＴ材に当接して閉じるようになっている。
【００１９】
図３に示すように、上枠体１１は、支持枠２０の上支持枠２１と、本窓枠３０の上本窓枠３１と、これらの上支持枠２１および上本窓枠３１を連結する連結部材４１と、この連結部材４１に取り付けられた下地材４２とを有して構成されている。
上支持枠２１は、アルミ押出形材製であって、壁パネル２の開口部上辺５Ａに沿って見込み方向室外側に延びる見込み片部２１１と、この見込み片部２１１の室内側から下方（見付け方向内側）に延びる支持片部２１２と、この支持片部２１２の下端から室外側に延びる突出片部２１３とを有している。この突出片部２１３には、その先端から下方に延びる垂下片２１３Ａと、その下面において上本窓枠３１を位置決めする位置決め部２１３Ｂとが設けられている。また、支持片部２１２の下端部室内側には、シール材２１２Ａが取り付けられている。
【００２０】
本窓枠３０の上本窓枠３１は、アルミ押出形材製であって、上支持枠２１の見込み片部２１１に対向して室内外に延びる上面部３１１と、この上面部３１１に対向して室内外に延びる底面部３１２と、上面部３１１の室内側端部から上方（見付け方向外側）に突出し、上支持枠２１の支持片部２１２の室内側に沿って延びる取付片部３１３と、底面部３１２から下方に突出したＡＴ材保持部３１４と、底面部３１２の室内側端から下方および室内側に延びる係合片部３１５とを有している。この係合片部３１５は、ビス３１５Ａで下地材４２に固定されている。また、上本窓枠３１の底面部３１２室外側端部とＡＴ材保持部３１４とには、それぞれ障子１５の上框１６に当接するＡＴ材３１２Ａ，３１４Ａが設けられている。
【００２１】
一方、上支持枠２１および上本窓枠３１を連結する連結部材４１は、室内側に向かって開口した断面略コ字形の金属製ピース材であって、ビス４１Ａによって壁パネル２の芯材２Ａに固定されている。さらに、連結部材４１の室外側の一辺を貫通するビス４１Ｂによって、上本窓枠３１の取付片部３１３および上支持枠２１の支持片部２１２が係合され、これにより上本窓枠３１が上支持枠２１に取り付けられている。そして、このビス４１Ｂを締め付けることで、取付片部３１３および支持片部２１２が圧接され、支持片部２１２のシール材２１２Ａが取付片部３１３に密接するようになっている。また、連結部材４１に取り付けられた下地材４２は、連結部材４１のコ字形断面内に収まるとともに、内装材４に沿って下方に延びた断面略Ｌ字形の木製部材であり、上枠体１１の略全長に渡る長さ寸法を有している。また、下地材４２の室内側側面には、額縁材６を支持するための凹溝部４２Ａが形成されている。この下地材４２は、内装材４を釘打ち等で固定するための下地として機能するとともに、連結部材４１に嵌め込むことで連結部材４１の剛性を高め、さらに断熱材としても有効に機能するようになっている。
【００２２】
以上のような上枠体１１において、上支持枠２１の見込み片部２１１の下面（見付け方向内面）には、第２防水部材としての防水テープ４３が接着されている。この防水テープ４３は、その両面が接着面とされた両面テープであって、防水テープ４３の室外側端縁は、見込み片部２１１の室外側端縁よりも室外側に位置されて壁パネル２の開口部上辺５Ａに接着されている。そして、防水テープ４３の表面には、外装材３の下地である防水紙（アスファルトフェルト）３Ｃが接着されている。
また、外装材３は、壁パネル２の室外面を覆う外面部３Ａと、この外面部３Ａに連続して室内側に折れ曲がり、見込み方向室内側に延びて上支持枠２１の見込み片部２１１の下側および防水テープ４３の下面を覆う折曲部３Ｂとを有して形成されている。この折曲部３Ｂは、その室内側端縁が上支持枠２１の支持片部２１２に当接して位置決めされている。
【００２３】
次に、図４に示すように、下枠体１２は、支持枠２０の下支持枠２２と、本窓枠３０の下本窓枠３２と、これらの下支持枠２２および下本窓枠３２を連結する前述と同様の連結部材４１と、下地材４２とを有して構成されている。
下支持枠２２は、それぞれアルミ押出形材製の下支持枠本体２２Ａと、この下支持枠本体２２Ａの室外側に連結される水切り部材２２Ｂとを有して構成されている。下支持枠本体２２Ａは、外壁１の開口部５の下辺５Ｂに沿って見込み方向室外側に延びる見込み片部２２１と、この見込み片部２２１の室内側から上方に延びる支持片部２２２とを有している。支持片部２２２の上端部室内側には、シール材２２２Ａが取り付けられている。そして、下支持枠本体２２Ａは、ビス止めにより連結部材４１に固定されている。水切り部材２２Ｂは、開口部５の下辺５Ｂに沿って見込み方向に延びる底面部２２３を有し、外壁１の室外面１Ａよりも突出して設けられている。
【００２４】
本窓枠３０の下本窓枠３２は、アルミ押出形材製であって、底面部３２１と、この底面部３２１の上方に対向する上面部３２２と、この上面部３２２から上方に延出したＡＴ材保持部３２３と、下地材４２の上面に沿って室内側に延びる係合片部３２４と、底面部３２１の室内側端部から下方（見付け方向外側）に突出し、下支持枠２２の支持片部２２２の室内側に沿って延びる取付片部３２５とを有している。係合片部３２４は、ビス３２４Ａで下地材４２に固定されている。また、下本窓枠３２の上面部３２２室外側端部とＡＴ材保持部３２３とには、それぞれ障子１５の下框１７に当接するＡＴ材３２２Ａ，３２３Ａが設けられている。
そして、下本窓枠３２は、連結部材４１上に載置されるとともに、連結部材４１と下支持枠本体２２Ａの支持片部２２２との間に取付片部３２５が挿入されることで、下支持枠２２に取り付けられ、支持片部２２２のシール材２２２Ａが取付片部３２５に密接するようになっている。また、連結部材４１に取り付けられた下地材４２は、前述の上枠体１１の下地材４２と同様の部材であって、下枠体１２の略全長に渡る長さ寸法を有している。
【００２５】
以上のような下枠体１２において、下支持枠本体２２Ａの見込み片部２２１の下面には、防水部材としての防水シート４４がビス止めにより取り付けられている。この防水シート４４は、伸縮可能な面材から形成されたシートであって、見込み片部２２１と開口部５の下辺５Ｂとの間に介装されるとともに、壁パネル２に貼り付けられている。そして、防水シート４４は、開口部５の下辺５Ｂの室外側端縁まで延びる見込み面部４４Ａと、この見込み面部４４Ａに連続して壁パネル２の室外側側面に沿って下方に折れ曲がる折曲り面部４４Ｂとを有している。防水シート４４の見込み面部４４Ａ上面は、水切り部材２２Ｂの底面部２２３で覆われ、折曲り面部４４Ｂの室外側側面は、外装材３の外面部３Ａで覆われている。
また、外装材３の外面部３Ａ上端は、水切り部材２２Ｂの底面部２２３に当接して位置決めされている。
【００２６】
次に、図５に示すように、縦枠体１３は、支持枠２０の縦支持枠２３と、本窓枠３０の縦本窓枠３３と、これらの縦支持枠２３および縦本窓枠３３を連結する前述と同様の連結部材４１と、この連結部材４１に取り付けられた下地材４２とを有して構成されている。
縦支持枠２３は、アルミ押出形材製であって、外壁１の開口部５の縦辺５Ｃに沿って見込み方向室外側に延びる見込み片部２３１と、この見込み片部２３１から見付け方向内側に延びる支持片部２３２と、この支持片部２３２の見付け方向内端側に連続して見込み方向室外側に延びる折返し片部２３３とを有している。この折返し片部２３３の先端部には、シール材２３３Ａが設けられている。そして、支持片部２３２の先端部室内側には、シール材２３２Ａが取り付けられている。
【００２７】
本窓枠３０の縦本窓枠３３は、アルミ押出形材製であって、縦支持枠２３の折返し片部２３３に対向して室内外に延びる側面部３３１と、この側面部３３１から見付け方向外側に突出し、縦支持枠２３の支持片部２３２の室内側に沿って延びる取付片部３３２と、側面部３３１から見付け方向内側に突出したＡＴ材保持部３３３と、側面部３３１の室内側端から室内側に延びる係合片部３３４とを有している。この係合片部３３４は、ビス３３４Ａで下地材４２に固定されている。また、側面部３３１の見付け方向外側面には、縦支持枠２３の折返し片部２３３に設けたシール材２３３Ａが当接している。また、縦本窓枠３３の側面部３３１室外側端部とＡＴ材保持部３３３とには、それぞれ障子１５の縦框１８に当接するＡＴ材３３１Ａ，３３３Ａが設けられている。
【００２８】
そして、縦本窓枠３３の取付片部３３２は、連結部材４１の室外側の一辺を貫通するビス４１Ｂによって、縦支持枠２３の支持片部２３２に係合されている。そして、このビス４１Ｂを締め付けることで、取付片部３３２および支持片部２３２が圧接され、支持片部２３２のシール材２３２Ａが取付片部３３２に密接するようになっている。また、連結部材４１に取り付けられた下地材４２は、前述の上枠体１１および下枠体１２の下地材４２と同様の部材であって、縦枠体１３の略全長に渡る長さ寸法を有している。
【００２９】
以上のような縦枠体１３において、縦支持枠２３の見込み片部２３１の側面（見付け方向内面）には、前述と同様の防水テープ４３が接着されており、この防水テープ４３の室外側端縁は、見込み片部２３１の室外側端縁よりも室外側に位置されて壁パネル２の開口部縦辺５Ｃに接着されている。そして、防水テープ４３の表面には、外装材３の下地である防水紙３Ｃが接着され、その表面が外装材３の折曲部３Ｂで覆われている。この折曲部３Ｂの室内側端縁は、縦支持枠２３の支持片部２３２に当接して位置決めされている。
また、下支持枠２２と開口部５の下辺５Ｂとの間に介装された防水シート４４の縦枠側両端部は、上方に折り曲げられて曲上げ部４４Ｃとされ、この曲上げ部４４Ｃが縦支持枠２３の見込み片部２３１と開口部５の縦辺５Ｃとの間に介装されている。すなわち、防水シート４４は、室外側から見て上方に開口した略コ字形に形成されている。そして、防水シート４４の見込み面部４４Ａは、開口部５の縦辺５Ｃに沿って室外側端縁まで延び、折曲り面部４４Ｂは、壁パネル２の室外側側面に接着されている。そして、防水シート４４の見込み面部４４Ａには、開口部５の縦辺５Ｃに接着された前述の防水テープ４３の下端部が接着されている。
【００３０】
次に、縦辷り出し窓１０における止水構造について説明する。
まず、上枠体１１および縦枠体１３において、外装材３の折曲部３Ｂ先端と上支持枠２１および縦支持枠２３との間から雨水等が浸入したとしても、この雨水等は防水テープ４３で阻まれて室内側へ浸入できないようになっている。万一、防水テープ４３と開口部５の上辺５Ａまたは縦辺５Ｃとの間に雨水等が浸入したとしても、この雨水等は、縦支持枠２３の見込み片部２３１に沿って下方に流れ落ち、下枠体１２の防水シート４４で受け止められ、防水シート４４に沿って室外側に排水されることになる。
一方、上枠体１１および縦枠体１３における上支持枠２１と上本窓枠３１との間および縦支持枠２３と縦本窓枠３３との間に雨水等が浸入したとしても、この雨水等は上枠体１１のシール材２１２Ａや縦枠体１３のシール材２３２Ａで阻まれ、室内空間まで浸入することがない。そして、この雨水等は、縦支持枠２３と縦本窓枠３３との間を流れ落ちて、下支持枠２２の下支持枠本体２２Ａ上面で受け止められ、水切り部材２２Ｂの上面を流れて排水されることになる。
【００３１】
次に、縦辷り出し窓１０の取付手順について、図６〜図１０に基づいて説明する。
図６〜図１０は、それぞれ縦辷り出し窓１０の取付手順を説明する室外側から見た正面図である。
先ず、図６に示すように、枠組みした窓枠体１４に障子１５を取り付けた状態で下枠体１２の下支持枠２２に防水シート４４を取り付けておき、この窓枠体１４および障子１５を室内側から外壁１の開口部５に装着し、前述の連結部材４１を介して壁パネル２に固定する。この際、防水シート４４を、下支持枠２２と開口部５の下辺５Ｂとの間に挟み込むとともに、防水シート４４の曲上げ部４４Ｃを、縦支持枠２３と開口部５の縦辺５Ｃとの間に挟み込み、防水シート４４の室外側部分を室外側に余らせておく。
【００３２】
次に、図７に示すように、壁パネル２のパネル面材２Ｂ室外側側面のうち、防水シート４４よりも下側の部分に外装材３の下地である防水紙３Ｃを貼り付ける。
そして、図８に示すように、余らせておいた防水シート４４の室外側部分を、伸ばしながら壁パネル２に沿って下方および側方に折り曲げ、パネル面材２Ｂ室外側側面および防水紙３Ｃに貼り付ける。これにより、防水シート４４の折曲り面部４４Ｂが形成される。  続いて、図９に示すように、上支持枠２１および縦支持枠２３の見込み片部２３１、および開口部５の上辺５Ａおよび縦辺５Ｃに防水テープ４３を接着する。この際、縦辺５Ｃの防水テープ４３の下端部を防水シート４４の曲上げ部４４Ｃに重ねて接着する。
そして、図１０に示すように、開口部５の上辺５Ａおよび縦辺５Ｃに隣接する位置の壁パネル２のパネル面材２Ｂに防水紙３Ｃを貼り付ける。この後に、防水紙３Ｃの外側面にラス網を配置してから外装材３のモルタル３Ｄを所定厚さに吹き付けて外壁１を仕上げる。
【００３３】
次に、本実施形態における縦辷り出し窓１０の変形例について、図１１〜図１３に基づいて説明する。
図１１〜図１３は、それぞれ本実施形態の変形例に係る縦辷り出し窓１０の縦枠部分を拡大して示す横断面図である。
各変形例において、縦辷り出し窓１０の構造は、前述と略同様であり、外壁１の構造が相違している。相違点について以下に詳しく説明する。
【００３４】
図１１において、外壁１の外装材（外壁仕上げ材）３は、サイディング等のパネル材３Ｅによる乾式工法で構成され、パネル材３Ｅの開口部５側端部に室内側に折れ曲がった折曲部３Ｂが形成されている。この折曲部３Ｂの先端部には、縦支持枠２３の支持片部２３２および折返し片部２３３との間をシールするシール材３Ｆが設けられている。そして、前述と同様に、下支持枠２２と開口部５の下辺５Ｂとの間、および縦支持枠２３と開口部５の縦辺５Ｃとの間には、防水シート４４が介装されている。さらに、上支持枠２１および縦支持枠２３の見込み片部２３１、および開口部５の上辺５Ａおよび縦辺５Ｃには、防水テープ４３が接着されている。
【００３５】
図１２、１３において、外壁１の外装材（外壁仕上げ材）３は、図１１と同様に、パネル材３Ｅによる乾式工法で構成されており、このパネル材３Ｅと壁パネル２との間に、断熱材３Ｇが設けられている。つまり、図１２、１３に示す外壁１は、外断熱タイプの外壁である。そして、図１２の外壁１では、断熱材３Ｇが壁パネル２のパネル面材２Ｂ室外側面だけに設けられ、図１３の外壁１では、断熱材３Ｇが壁パネル２のパネル面材２Ｂ室外側面と、開口部５の縦辺５Ｃ側に折れ曲がった位置とに設けられている。このように外断熱タイプとした場合には、外壁１の厚さ寸法が大きくなる、つまり開口部５の見込み寸法が大きくなるため、窓枠体１４および障子１５の取付位置が相対的に室内寄りになって、窓枠体１４の取付位置から開口部５室外縁までの距離が延びてしまう。従って、本変形例では、下支持枠２２の下支持枠本体２２Ａは前述と同様の部材であり、水切り部材２２Ｂを見込み寸法の大きなものに変更している。
【００３６】
このような本実施形態によれば、以下のような効果がある。
（１）すなわち、外壁１の開口部５四周各辺のうち、下辺５Ｂおよび左右縦辺５Ｃの下部と、下支持枠２２および縦支持枠２３の見込み片部２２１，２３１との間に、窓正面から見てコ字形になった防水シート４４を配置したので、万一、外装材３と壁パネル２との間に雨水等が浸入したとしても、この雨水等を防水シート４４で受け止めることができる。そして、上支持枠２１および縦支持枠２３における見込み片部２１１，２３１が外装材３の折曲部３Ｂに覆われることで、折曲部３Ｂの外側である室外空間から見込み片部２１１，２３１の室外側端縁までの距離を長距離化することができる。これにより、浸入しようとする雨水等の勢いが抑えられ、下枠体１２位置まで流れ落ちた雨水等が防水シート４４で受け止められて室外側に排水されるので、雨水等の室内側への浸入を防止して止水性能を向上させることができる。
【００３７】
（２）また、上下および縦の支持枠２１，２２，２３の見込み片部２１１，２２１，２３１が開口部５の上下および縦の各辺５Ａ，５Ｂ，５Ｃに沿って設けられ、この見込み片部２１１，２２１，２３１の位置にて止水構造が構成できるので、壁パネル２の室外側側面に沿った固定片等を窓枠体１４に形成する必要がない。これにより、外壁１の開口部５内の見込み方向に関して窓枠体１４の取付位置を任意に設定することができ、サッシ窓における設計の自由度を高めることができる。すなわち、開口部５内の室内寄りに窓枠体１４を取り付ければ、内付けのサッシ窓を構成することができ、また開口部５内の室外寄りに窓枠体１４を取り付ければ、サッシ窓の室内側の空間を出窓のように利用することもできるなど、共通の窓枠体１４を用いても、この窓枠体１４の見込み位置が任意に設定可能なサッシ窓を構成することができる。
【００３８】
（３）さらに、防水シート４４が室外側に延びて壁パネル２の室外側側面に密接されることで、防水シート４４で受け止めた雨水等を確実に室外側に排水することができ、止水性能をさらに向上させることができる。また、防水シート４４を下支持枠２２および外装材３で覆ったことで、防水シート４４が室外空間に露出せず、その劣化が防止できるとともに、サッシ窓の外観を良好にすることができる。
【００３９】
（４）また、伸縮可能な防水シート４４を用いたことで、防水シート４４両端部を開口部５の縦辺５Ｃに沿って折り曲げたり、壁パネル２の室外側側面に沿って折り曲げたりする作業が容易になり、施工性を良好にすることができる。さらに、防水シート４４は、長尺なシートから適宜な長さに切断して施工することができるので、多種のサッシ窓に対してコスト増加を招くことなく防水シート４４を形成することができる。
【００４０】
（５）さらに、上支持枠２１および縦支持枠２３の見込み片部２１１，２３１および壁パネル２の上および縦辺５Ａ，５Ｃに防水テープ４３を接着したことで、防水テープ４３を貼り付けるだけの簡単な作業で、見込み片部２１１，２３１と壁パネル２とが水密に連結され、これらの間からの雨水等の浸入が防止され、より一層止水性能を向上させることができる。さらに、防水テープ４３の下端部を防水シート４４の曲上げ部に接着したことで、防水テープ４３表面を流れ落ちた雨水等を確実に防水シート４４で受け止めることができる。また、防水テープ４３が外装材３の折曲部３Ｂで覆われることで、防水テープ４３が室外空間に露出せず、その劣化が防止できるとともに、サッシ窓の外観を良好にすることができる。
【００４１】
（６）また、窓枠体１４を支持枠２０および本窓枠３０から構成し、支持枠２０に対して着脱自在に本窓枠３０を取り付け可能にし、支持枠２０を壁パネル２に固定したので、支持枠２０を外壁１に固定したままで本窓枠３０を交換することができ、サッシ窓を改装サッシとして構成することができる。さらに、上下および縦の支持枠２１，２２，２３に見込み片部２１１，２２１，２３１を設けたので、外装材３を壊すことなく本窓枠３０を交換することができる。
【００４２】
（７）さらに、上下および縦の支持枠２１，２２，２３と、上下および縦の本窓枠３１，３２，３３との間には、支持片部２１２，２２２，２３２にシール材２１２Ａ，２２２Ａ，２３２Ａが設けられ、取付片部３１３，３２５，３３２に当接しているので、止水性能をさらに向上させることができる。
【００４３】
（８）また、本窓枠３０を製品バリエーションや製品点数が非常に多い半外付け用サッシ枠を用いて構成したことで、多種多様なサイズや形式の窓を安価に構成することができる。そして、半外付け用サッシ枠において通常外壁に固定するために設けられた取付片部３１３，３２５，３３２を、支持枠２０の支持片部２１２，２２２，２３２に係合させて支持枠２０に本窓枠３０を取り付けることで、半外付け用サッシ枠に対する加工の必要がなく、コスト増加を招かずに半外付け用サッシ枠を本窓枠３０として転用することができる。
【００４４】
（９）また、下支持枠２２が下支持枠本体２２Ａと水切り部材２２Ｂとで形成されているので、外壁１の開口部５内の見込み方向に関して支持枠２０の取付位置を変更した場合や、開口部５の見込み寸法が異なる場合でも、見込み寸法の異なる水切り部材２２Ｂを選択するだけで変更に対応することができ、その場合でも下支持枠本体２２Ａに関しては、共通の部材を用いることができる。
【００４５】
なお、本発明は、前記各実施形態に限定されるものではなく、本発明の目的を達成できる他の構成等を含み、以下に示すような変形等も本発明に含まれる。
例えば、前記実施形態の縦辷り出し窓１０では、窓枠体１４を支持枠２０および本窓枠３０とで構成した、つまり上枠体１１を上支持枠２１および上本窓枠３１で構成し、下枠体１２を下支持枠２２および下本窓枠３２で構成し、左右の縦枠体１３を縦支持枠２３および縦本窓枠３３で構成したが、これに限らず、上枠体１１、下枠体１２、および左右の縦枠体１３をそれぞれ一体の枠部材から構成してもよい。
【００４６】
また、前記実施形態では、縦辷り出し窓１０について説明したが、これに限らず、嵌め殺し窓でもよく、また引き違い窓や、片引き窓、開き窓、上げ下げ窓等、任意の開閉形式のサッシ窓が構成可能である。
また、防水部材としては、伸縮可能な防水シート４４に限らず、金属製や樹脂製の防水パン等であってもよい。さらに、第２防水部材としては、防水テープ４３に限らず、湿式工法によるシール材等であってもよい。
【００４７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の実施形態に係るサッシ窓が設けられた建物の外壁部分を示す縦断面図である。
【図２】前記外壁部分を示す横断面図である。
【図３】前記サッシ窓の上枠部分を拡大して示す縦断面図である。
【図４】前記サッシ窓の下枠部分を拡大して示す縦断面図である。
【図５】前記サッシ窓の縦枠部分を拡大して示す横断面図である。
【図６】前記サッシ窓の取付手順を説明する室外側から見た正面図である。
【図７】図６に続く取付手順を説明する室外側から見た正面図である。
【図８】図７に続く取付手順を説明する室外側から見た正面図である。
【図９】図８に続く取付手順を説明する室外側から見た正面図である。
【図１０】図９に続く取付手順を説明する室外側から見た正面図である。
【図１１】前記実施形態の変形例に係るサッシ窓の縦枠部分を拡大して示す横断面図である。
【図１２】前記実施形態の変形例に係るサッシ窓の縦枠部分を拡大して示す横断面図である。
【図１３】前記実施形態の変形例に係るサッシ窓の縦枠部分を拡大して示す横断面図である。
【符号の説明】
【００４９】
１…外壁、２…外壁躯体である壁パネル、３…外壁仕上げ材である外装材、３Ｂ…折曲部、５…開口部、５Ａ…開口部上辺、５Ｂ…開口部下辺、５Ｃ…開口部縦辺、１０…サッシ窓である縦辷り出し窓、１１…上枠体、１２…下枠体、１３…縦枠体、１４…窓枠体、１５…パネル体である障子、２０…支持枠、２１…上支持枠、２２…下支持枠、２２Ａ…下支持枠本体、２２Ｂ…水切り部材、２３…縦支持枠、３０…本窓枠、３１…上本窓枠、３２…下本窓枠、３３…縦本窓枠、４３…第２防水部材である防水テープ、４４…防水部材である防水シート、４４Ａ…見込み面部、４４Ｂ…折曲り面部、２１１，２２１，２３１…見込み片部、２１２，２２２，２３２…支持片部、２１２Ａ，２２２Ａ，２３２Ａ…シール材、３１３，３２５，３３２…取付片部。
【図１】
2006083660.tif 000003
【図２】
2006083660.tif 000004
【図３】
2006083660.tif 000005
【図４】
2006083660.tif 000006
【図５】
2006083660.tif 000007
【図６】
2006083660.tif 000008
【図７】
2006083660.tif 000009
【図８】
2006083660.tif 000010
【図９】
2006083660.tif 000011
【図１０】
2006083660.tif 000012
【図１１】
2006083660.tif 000013
【図１２】
2006083660.tif 000014
【図１３】
2006083660.tif 000015